(57)【特許請求の範囲】
【請求項１】
ゲル状の安定化二酸化塩素をガス吐出部に対して着脱可能に装着されたカートリッジ式薬剤容器内に収納し、該容器内に収納されたゲル状の安定化二酸化塩素に対して上方から紫外線を照射して二酸化塩素蒸散ガスを発生させ、発生された二酸化塩素蒸散ガスをガス吐出部に取り出し、取り出したガスを外部に吐出して処理対象を殺菌脱臭する、ことを特徴とする殺菌脱臭ガス供給方法。
【請求項２】
ゲル状の安定化二酸化塩素を収納するカートリッジ式薬剤容器と、前記カートリッジ式薬剤容器内のゲル状の安定化二酸化塩素に対して紫外線を照射して二酸化塩素蒸散ガスを発生させるための紫外線照射手段と、前記カートリッジ式薬剤容器から前記紫外線照射手段によって蒸散せしめられるガス成分を取り出すためのガス吐出部と、を備え、
前記紫外線照射手段はガス吐出部の内部に装着され、前記カートリッジ式薬剤容器は紫外線照射手段の下方に、ガス吐出部に対して着脱可能に装着されており、該紫外線照射手段により発生されガス吐出部に取り出されたガスを該ガス吐出部から外部に吐出して処理対象を殺菌脱臭する、ことを特徴とする殺菌脱臭ガス供給装置。
【請求項３】
請求項２に記載の殺菌脱臭ガス供給装置から送り込まれ、被殺菌脱臭対象を通過した後の排気中の二酸化塩素成分を吸着する吸着手段をさらに組み合わせた、ことを特徴とする殺菌脱臭ガス供給システム。
【発明の詳細な説明】
【０００１】
本発明は、ゲル状化した殺菌、殺虫、脱臭等のための薬剤から殺菌、脱臭性のガスを簡易かつ安定に供給するための殺菌脱臭ガス供給方法及び装置に関するものである。
【０００２】
【従来の技術】
殺菌性、殺虫性、脱臭性等を有する薬品類は種々存在するが、殺菌、殺虫、脱臭等のためには、これらの薬品をそのまま或いは希釈した溶液や粉末の状態でスプレーや噴霧器を使用して行われている。
【０００３】
このような方法では、散布のための専用のスプレーや噴霧器を別途用意し、これらに薬剤を充填する等の手間が必要となり、特に薬剤の充填作業においては人的被害が発生することもあり、また、これらの薬剤の中には残留性等の理由からその使用が制限されるものもある。そこで、安全、簡易かつ安定に殺菌、殺虫、脱臭等のできる方法、装置が望まれている。
【０００４】
また、殺菌、消臭・脱臭等のための薬品類には、例えば、消臭のために芳香剤を添加することによって悪臭を、活性炭、活性白土、シリカゲル等の吸着材を用いて吸着または中和するようなものも多数存在する。しかしながら、このような吸着または中和するものは、有効に機能する期間に限度があり次第に効果が薄くなる欠点がある。また、これらにあっては殺菌効果までは期待できない。
【０００５】
そのため、寝具類、衣類、病室、救急車の車内等には、安定化二酸化塩素（ＣｌＯ2 ）溶液を蒸発させたものも広く使用されている。安定化二酸化塩素は、漂白作用があることが古くから知られており、その製法も数多くの方法が実施されている。しかし、工業的に製造された高濃度の二酸化塩素は強力な酸化剤となり、他物質と反応して高濃度の塩素を発生したり、または爆発の危険性も否定できない。そこで、危険性が低く取扱が容易である二酸化塩素としてインターナショナルリョーキサイド社開発にかかる安定化二酸化塩素水溶液の５％水溶液が供給されており、用途に応じて適宜希釈して使用されている。
【０００６】
安定化二酸化塩素溶液を気化させた二酸化塩素ガスは、強烈な刺激臭等がなく安全であるにもかかわらず、対象物に接触させることによって高い殺菌、消臭、消毒等の諸効果を発揮する。各種のバクテリア、黴類、病原菌類に対するその殺菌、消臭等の効果は著しく、短時間でその目的を達成することができる。また消臭効果も著しく、化学的物質臭や腐敗臭に対する消臭効果が大きくさらに悪臭発生原因である微生物の繁殖自体を阻止する効果もある。
【０００７】
このような優れた特徴を有する二酸化塩素ではあるが、通常は水溶液のため、運搬、取扱、補充等の取り扱いに配慮が必要であり、気化装置が複雑化する欠点があった。また、このような安定化二酸化塩素水溶液を多孔物質であるゼオライト等に吸着せしめて粉・粒状体として使用することもあるが、安定に長期間放出させるには適さない。さらに、活性剤として、アルカリ発生装置を併用する必要がある等、使用上の制限もあった。
【０００８】
かかる問題点を解決するために、本出願人は取り扱い上安全性の高いゲル状薬剤を使用し、加熱手段により加熱することによって蒸散ガスを取り出す装置を提案している（特願平１０−７６４６７号）。しかし、このような加熱による蒸散を利用する装置は消費電力が大きくなる欠点があり、用途によっては熱源を使用しない装置が望まれる場合も存在する。
【０００９】
【発明が解決しようとする課題】
本発明は上記従来技術の諸事情、特に高い殺菌、脱臭効果を有する二酸化塩素ガスに着目してなされたものであり、紫外線の化学反応促進効果を利用することにより保管、取扱、補給等が容易で簡易かつ安全な殺菌脱臭ガス供給方法及び供給装置を提供することを課題とする。
【００１０】
【課題を解決するための手段】
本発明の課題は、ゲル状の安定化二酸化塩素をガス吐出部に対して着脱可能に装着されたカートリッジ式薬剤容器内に収納し、該容器内に収納されたゲル状の安定化二酸化塩素に対して上方から紫外線を照射して二酸化塩素蒸散ガスを発生させ、発生された二酸化塩素蒸散ガスをガス吐出部に取り出し、取り出したガスを外部に吐出して処理対象を殺菌脱臭する、ように構成された殺菌脱臭性ガス供給方法によって解決される。
【００１１】
また、本発明の課題は、図１に示すように、ゲル状の安定化二酸化塩素を収納するカートリッジ式薬剤容器１０と、前記カートリッジ式薬剤容器内のゲル状の安定化二酸化塩素に対して紫外線を照射して二酸化塩素蒸散ガスを発生させるための紫外線照射手段２０と、前記カートリッジ式薬剤容器から前記紫外線照射手段によって蒸散せしめられるガス成分を取り出すためのガス吐出部３０と、を備え、前記紫外線照射手段２０はガス吐出部の内部に装着され、前記カートリッジ式薬剤容器１０は紫外線照射手段の下方に、ガス吐出部３０に対して着脱可能に装着されており、該紫外線照射手段により発生されガス吐出部に取り出されたガスを該ガス吐出部から外部に吐出して処理対象を殺菌脱臭する、ように構成された殺菌脱臭ガス供給装置によって解決される。
【００１２】
特に上記請求項２の発明においては、前記薬剤としてゲル状の安定化二酸化塩素を使用し、高い殺菌力と共に脱臭、消毒効果を有する二酸化塩素ガスを供給することにより、本発明の課題をより確実に解決することができる。したがって、以下の説明においては本発明に係る薬剤を安定化二酸化塩素とし、薬剤容器を安定化二酸化塩素容器１０として説明する。
【００１３】
なお、紫外線照射手段２０の照射源としては、照明用蛍光ランプと同様の構造を有する水銀蒸気入り放電管の管内壁に、可視光用蛍光物質に替えて紫外線成分を多量に発生するような蛍光物質を使用した蛍光ケミカルランプを使用することができる。
【００１４】
また、本発明にあっては、紫外線照射手段２０による紫外線照射量を適宜調整することにより、紫外線の化学反応促進効果を調節してガスの蒸散量を制御することができる。紫外線照射量の調整は、紫外線照射ランプの放射自体を調節することにより達成できることはもとより、照射量をフィルタや部分的シャッタを照射経路に介在せしめることによって実施することもできる。
【００１５】
このような本発明によれば、殺菌脱臭性ガスを容易かつ確実に供給でき、また装置が極めて簡易であり、安全性に優れているのみならず、ゲル状の安定化二酸化塩素から気化された霧状でない有効濃度の二酸化塩素ガスを被殺菌脱臭対象に吹き付けるために、該ガスが隈なく侵入し殺菌脱臭効果を発揮することができ、被殺菌脱臭対象には二酸化塩素成分の残留はなく、そのため被殺菌脱臭対象を腐食させるおそれがない。
【００１６】
このような構成の本発明にかかる殺菌脱臭ガス供給方法及び装置から吐出される殺菌脱臭ガスは、気密性材質の袋、箱、プラスチックカバー等を介して、または直接に医療廃棄物、寝具、マットレス、衣類、履物等々に吹き付けられる。また、製粉工場等の食品製造・加工工場、病室や救急車内部等の一定のスペースに対しても放出できる。さらに、布団、エアマット等の寝具類に吹き付けることにより床ずれ防止にも適用できる。
【００１７】
また、本発明においては前記ガス吐出部３０のガス吹き出し口付近にオゾン発生器を付加することができる。これにより殺菌性をより増強できる。さらに、本発明においては前記殺菌脱臭ガス供給装置から送り込まれ、被殺菌脱臭対象を通過した後の排気中の二酸化塩素成分を吸着する吸着手段を組み合わせた殺菌脱臭ガス供給システムとすることができる。これにより外部に二酸化塩素成分が放出されることがなく大気汚染の心配がなくなる。
【００１８】
【発明の実施の形態】
本発明にかかる殺菌脱臭ガス供給装置を具体的に開示するに先立ち、本発明において使用する薬剤について説明する。本発明においては、殺菌性、滅菌性、消毒性、防腐性、防菌性、殺虫性、防虫性、脱臭性、消臭性を有する薬剤として、前記安定化二酸化塩素の他、ホルマリン、クレゾール、フェノール、ＤＤＴ、パラチオン、消毒用エタノール等々、病原菌の殺菌や農業用の殺菌・殺虫等に使用される各種薬剤を適用することができる。このように本発明においては従来使用されている殺菌剤等であれば何でも使用できるものであるが、ここでは前記薬剤としてゲル状または液状の安定化二酸化塩素を使用する場合について説明することとする。
【００１９】
そこで、主要成分である安定化二酸化塩素について説明する。ここで使用されるゲル状の安定化二酸化塩素は、例えば寒天、ゼラチン等に架橋剤を混入してゲル化する方法等の周知手段により製造することができる。二酸化塩素の化学的性質として、二重結合部分並びにベンゼン核等には強く反応し、その他シアン化合物、硫化水素、蛋白質等とも反応するが、飽和脂肪酸や不飽和脂肪酸とは反応し難いことが知られている。かかる性質を利用し、飽和脂肪酸、例えばステアリン酸、パルミチン酸と、不飽和脂肪酸、例えばオレイン酸、リノール酸等のナトリウム塩と、ゼラチンとを混合したゲル化剤を利用し、安定化二酸化塩素水溶液をゲル状化することができる。
【００２０】
このゲル状安定化二酸化塩素からの蒸発速度は、ゲル化剤に含有させるエチルアルコールの量と容器の蒸発面積によって調節可能であるが、当然、気化反応の速度に重大な影響を及ぼす紫外線照射量や温度によっても左右される。なお、安定化二酸化塩素はｐＨ度によって変化するが、ｐＨ９程度が最も安定しているため、アルカリ性物質を適宜添加することによりｐＨ９程度に保持することが望ましい。
【００２１】
ゲル状化された安定化二酸化塩素は、水溶液に比して保管、輸送、取扱い等にとって有利であり、小形容器において安全に利用することができる。本発明においては、安定化二酸化塩素水溶液よりもこのようにゲル状化された安定化二酸化塩素をカートリッジ式の容器に充填して利用することが望ましい。
【００２２】
次に、本発明を具体化する実施の形態について添付図面を参照しつつ説明する。図１は本発明にかかる殺菌脱臭ガス供給装置の基本構成例を示すものである。１０は薬剤容器であり、ここではゲル状または液状の安定化二酸化塩素を収納している。２０は紫外線照射手段であり、例えば、蛍光ケミカルランプを使用する。なお、この紫外線照射手段２０には適宜、温度調節手段をはじめ、いずれも図示しない照射量調節器や作動時間制御タイマー等を装備することができる。
【００２３】
紫外線照射量調節器としては、サイリスタその他の半導体素子を利用した作動電流調節回路や照射経路に介在せしめられる紫外線透過フィルタ等が好適に用いられる。この場合の作動電流調節回路は、電圧の波高値を所定以上として放電の安定な持続を図りつつ実効光束を変動せしめるパルス制御が適している。また、フィルタは、透過レベルの異なる複数のフィルタを交換しつつ使い分けることによって調節することができる。
【００２４】
３０はガス吐出部であり、用途に応じて吐出口側に吸引ファンを設けまたは薬剤容器１０および紫外線照射手段２０よりも奥側に押し出しファンを設けることができる。このような吸引または押し出しファンのいずれかまたは双方を併用することによって蒸散ガスを効率良く取り出しまたは対象物に対して吹き付けることができる。なお、空気吸入側にはフィルタ３１を設けている。
【００２５】
１０は安定化二酸化塩素の収納容器であり、前述のようにして用意されたゲル状の安定化二酸化塩素を収納するものである。このような安定化二酸化塩素は、使用にしたがって蒸散してゆき消耗するものであるから、内容の蒸散消耗に応じて適宜補充する必要がある。そのため、安定化二酸化塩素収納容器１０はガス吐出部３０の連結部３２に着脱自在なカートリッジ式として構成されていることが望ましい。なお、サイズ、形状等も特に制限されないが、流通加熱空気との接触面積が蒸散効率に影響を与えることを考慮し、蓋側を幅広に構成すると都合がよい。
【００２６】
この実施の形態においては、前記収納容器１０を筒状の容器とし、蓋部分にねじを形成してガス吐出部３０の基部に形成された連結部３２に形成されるねじに嵌合させねじ止めするように構成している。したがって、安定化二酸化塩素の補給、安定化二酸化塩素を収納した該収納容器の交換を容易に行うことができる。なお、この収納容器１０の形状は任意であり、また、ガス吐出部３０との連結はねじ止めに限られず例えばフック等による吊り下げタイプ等としてもよい。
【００２７】
このような殺菌脱臭ガス供給装置による被殺菌・脱臭対象としては、気密性材質の袋、箱、プラスチックカバー等に収納された医療廃棄物、寝具、マットレス、衣類、履物等々をはじめ、トイレ、病室、救急車等の車両等の内部の一定のスペースが挙げられる。また、本発明による有効濃度の殺菌脱臭ガスを布団、エアーマット等の寝具類に吹きつけることにより殺菌して床ずれ防止に適用することもできる。
【００２８】
この場合、殺菌脱臭ガス供給装置の作動時間を予め設定し、被殺菌・脱臭対象の種類、量、収納袋等や病室等のスペースの大小により作動時間を制御するタイマーを設けると都合がよい。
【００２９】
上述の袋内の対象物に対する使用や室内の使用にあたっては室内等に残留するガス成分の人畜に対する悪影響を回避するために、作用終了ガスの吸着手段（図示していない) を使用することが望ましい。通常は、排気内の二酸化塩素濃度が０．１ｐｐｍ以下となるように配慮される。吸着手段の中身は、例えば、活性炭、動物骨粉を主材としたセラミック成形体、該成形体を含有させた紙・不織布等、または有機酸類のような吸着中和剤等とすることができる。
【００３０】
本発明にかかる殺菌脱臭ガス供給装置の用途は、前述のエアーマット、医療廃棄物、寝具類、衣類、病室、救急車内部等の他、居住空間、店舗、事務室、食品工場、コンピュータルーム、ロッカー、倉庫等の病害虫の殺菌・防除・消臭、列車・バス・航空機等の輸送機関室内・機内等、ビニールハウス内、冷蔵庫、衣類乾燥機等々の滅菌消毒・消臭等に用いることができる。その他、履物、スポーツ用品、かつら・衣装類、ぬいぐるみ等、洗濯や消毒が容易ではない物品類自体またはこれらの収納部等にも有利である。
【００３１】
さらに、大形航空機や倉庫等での使用を対象とするものと、事務所用、店舗用、家庭用等でその容量が異なることは当然である。また、用途に応じては、付加的機能、例えば脱臭・消臭にとって効果のあるオゾン発生装置等をも組み合わせることができる。
【００３２】
【発明の効果】
以上説明したように、本発明にかかる殺菌脱臭ガス供給方法及び装置によれば、発生する殺菌脱臭ガスは、ミスト、霧状体または水滴等を含まない完全なガス状体である。したがって、被殺菌脱臭対象の隅々まで到達せしめることができる。さらに、被殺菌脱臭対象の汚損、腐食、変質等が生じない。
【００３３】
また、安定化二酸化塩素をゲル状にすることにより手軽に取り扱えるカートリッジ式とすることができ、保管、運搬、交換が容易である。水溶液を使用する場合に比して、装置が簡潔となり、経済的にも優れたものとなる。
【図面の簡単な説明】
【図１】本発明にかかる殺菌脱臭ガス供給装置の基本構成を示す説明図である。
【符号の説明】
１０    薬剤容器（安定化二酸化塩素容器）
２０    紫外線照射手段
３０    ガス吐出部
３１    フィルタ
３２    連結部
【図１】
0003902707.tif 000002